(57)【要約】【課題】  定量注出後に計量室に残った内容液を容器本体内に戻すことができ、さらに、スクイズすることなく適量の内容液を注出口から注出することもできるスクイズ式計量容器を提供すること。【解決手段】  スクイズ式計量容器において、計量室は、底壁外端部から立ち上がる外周壁と、底壁を貫通して形成される流出口と、流出口を開閉するバルブ部とを備えており、バルブ部は、流出口の周囲下面に形成される弁座と、流出口を貫通し上下方向に移動するバルブ筒と、バルブ筒の下端部に形成される弁体と、バルブ筒の上端部に穿設される連通口と、バルブ筒の上端部に形成される把持部とからなり、計量室の上端開口を開閉する上蓋の裏面からバルブ柱の把持部と嵌合する嵌合部が先端部に形成されるバルブ操作部が垂設されることを特徴とする。【選択図】  図８
2015027884.tif 000002
【特許請求の範囲】
【請求項１】
スクイズ可能な胴部から口筒部を立設する容器本体と、容器本体の口筒部に装着されるベースキャップと、ベースキャップの上端開口を被冠する蓋体とからなるスクイズ式計量容器において、
ベースキャップは、容器本体の口筒部外周に装着する装着筒と、装着筒上端から内方に延設され口筒部開口を封鎖する底壁と、底壁の上部に形成される計量室とからなり、
計量室は、底壁外端部から立ち上がる外周壁と、底壁を貫通して形成される注入口と、注入口の周囲に立設されるとともに、上端部に連通口が穿設される計量注入筒と、底壁を貫通して形成される流出口と、流出口を開閉するバルブ部とからなり、
バルブ部は、流出口の周囲下面に形成される弁座と、流出口を貫通し上下方向に移動するバルブ柱と、バルブ柱の下端部に形成される弁体と、バルブ柱の上端部に形成される把持部とからなり、
蓋体は、計量室の上端開口を開閉する上蓋を備え、
上蓋の裏面からバルブ柱の把持部と嵌合する嵌合部が先端部に形成されるバルブ操作部が垂設されることを特徴とするスクイズ式計量容器。
【請求項２】
スクイズ可能な胴部から口筒部を立設する容器本体と、容器本体の口筒部に装着されるベースキャップと、ベースキャップの上端開口を被冠する蓋体とからなるスクイズ式計量容器において、
ベースキャップは、容器本体の口筒部外周に装着する装着筒と、装着筒上端から内方に延設され口筒部開口を封鎖する底壁と、底壁の上部に形成される計量室とからなり、
計量室は、底壁外端部から立ち上がる外周壁と、底壁を貫通して形成される流出口と、流出口を開閉するバルブ部とからなり、
バルブ部は、流出口の周囲下面に形成される弁座と、流出口を貫通し上下方向に移動するバルブ筒と、バルブ筒の下端部に形成される弁体と、バルブ筒の上端部に穿設される連通口と、バルブ筒の上端部に形成される把持部とからなり、
蓋体は、計量室の上端開口を開閉する上蓋を備え、
上蓋の裏面からバルブ筒の把持部と嵌合する嵌合部が先端部に形成されるバルブ操作部が垂設されることを特徴とするスクイズ式計量容器。
【請求項３】
蓋体は、外周壁の上端から内方に延設され計量室を覆う天板と、天板に形成される注出筒と、天板にヒンジを介して連設される上蓋とからなることを特徴とする請求項１または２記載のスクイズ式計量容器。
【請求項４】
蓋体は、外周壁の上端から内方に延設され計量室を覆う天板と、天板に形成される注出筒と、注出筒を開閉する上蓋と、上蓋に形成される注出孔と、注出孔を開閉する補助蓋とを備えることを特徴とする請求項１または２記載のスクイズ式計量容器。
【請求項５】
蓋体は、上蓋が天板に下ヒンジを介して連設され、補助蓋が上蓋に上ヒンジを介して連設されることを特徴とする請求項４記載のスクイズ式計量容器。
【請求項６】
バルブ部は、弁部と弁座のいずれか一方に形成される凸条が、弁部と弁座のいずれか他方に形成される凹条と嵌合することにより流出口の閉鎖状態を保持することを特徴とする請求項１〜５のいずれか記載のスクイズ式計量容器。
【発明の詳細な説明】
【技術分野】
【０００１】
本発明は、容器の胴部をスクイズ（圧搾）することにより一定量の内容液を計量可能なスクイズ式計量容器に関し、より詳しくは、定量注出後に計量室に残った内容液を容器本体内に戻すことができ、さらに、スクイズすることなく適量の内容液を注出口から注出することもできるスクイズ式計量容器に関するものである。
【背景技術】
【０００２】
従来、スクイズ式計量容器として、スクイズ可能な胴部を有する容器本体の口筒部外周に装着筒を螺合させて注出キャップを固定し、該注出キャップは、上記装着筒を口筒部上端開口を閉塞する計量室底壁より垂設し、また、計量室底壁中央に下端を開口して計量室内に立設するとともに、上端部に連通口を穿設してなる計量筒を設け、さらに、計量筒下端開口に上端を連結して容器体内下部に下端を垂下させた吸上げパイプを設けてなるものが知られている（例えば、特許文献１参照）。
この計量容器は、容器本体の胴部をスクイズすることにより、吸上げパイプおよび計量筒を介して連通口から計量室内に内容液を注入し、胴部のスクイズを解除することにより連通口上方の計量室内に注入した過剰の内容液を連通口を介して容器本体内に逆流させ、一定量の内容液を計量するものである。
【先行技術文献】
【特許文献】
【０００３】
【特許文献１】実用新案登録第２５３９９７２号公報
【発明の概要】
【発明が解決しようとする課題】
【０００４】
しかしながら、特許文献１のスクイズ式計量容器では、胴部のスクイズにより、内容液を計量室内に注入した後、スクイズを解除することにより過剰な内容液を容器本体内に逆流させ、その後、計量室上端の注出口から計量した内容液を注出するようにしているため、注出後に計量室内に内容液が残っても、残った内容液を容器本体内に戻すことができず、次回の使用時にスクイズにより注入される新たな内容液と混合されてしまうという問題があった。
さらに、このスクイズ式計量容器では、当然のことながら、スクイズすることなく適量（任意量）の内容液を注出口から注出することができないという問題があった。
【０００５】
本発明は、上記問題を解決することを課題とし、注出後に計量室内に内容液が残っても、残った内容液を容器本体内に戻すことができ、残った内容液が次回の使用時にスクイズにより注入される新たな内容液と混合されてしまうのを防止できるスクイズ式計量容器を提供することを目的とする。
さらに、本発明は、スクイズ式計量容器であるにもかかわらず、スクイズすることなく適量の内容液を注出口から注出することができ、通常の液体容器としても使用できるスクイズ式定量容器を提供することを目的とする。
【課題を解決するための手段】
【０００６】
本発明は、上記の課題を解決するため、スクイズ式計量容器として、スクイズ可能な胴部から口筒部を立設する容器本体と、容器本体の口筒部に装着されるベースキャップと、ベースキャップの上端開口を被冠する蓋体とからなるスクイズ式計量容器において、ベースキャップは、容器本体の口筒部外周に装着する装着筒と、装着筒上端から内方に延設され口筒部開口を封鎖する底壁と、底壁の上部に形成される計量室とからなり、計量室は、底壁外端部から立ち上がる外周壁と、底壁を貫通して形成される注入口と、注入口の周囲に立設されるとともに、上端部に連通口が穿設される計量注入筒と、底壁を貫通して形成される流出口と、流出口を開閉するバルブ部とからなり、バルブ部は、流出口の周囲下面に形成される弁座と、流出口を貫通し上下方向に移動するバルブ柱と、バルブ柱の下端部に形成される弁体と、バルブ柱の上端部に形成される把持部とからなり、蓋体は、計量室の上端開口を開閉する上蓋を備え、上蓋の裏面からバルブ柱の把持部と嵌合する嵌合部が先端部に形成されるバルブ操作部が垂設されることを特徴とする構成を採用する。
【０００７】
スクイズ式計量容器の別実施例として、スクイズ可能な胴部から口筒部を立設する容器本体と、容器本体の口筒部に装着されるベースキャップと、ベースキャップの上端開口を被冠する蓋体とからなるスクイズ式計量容器において、ベースキャップは、容器本体の口筒部外周に装着する装着筒と、装着筒上端から内方に延設され口筒部開口を封鎖する底壁と、底壁の上部に形成される計量室とからなり、計量室は、底壁外端部から立ち上がる外周壁と、底壁を貫通して形成される流出口と、流出口を開閉するバルブ部とからなり、バルブ部は、流出口の周囲下面に形成される弁座と、流出口を貫通し上下方向に移動するバルブ筒と、バルブ筒の下端部に形成される弁体と、バルブ筒の上端部に穿設される連通口と、バルブ筒の上端部に形成される把持部とからなり、蓋体は、計量室の上端開口を開閉する上蓋を備え、上蓋の裏面からバルブ筒の把持部と嵌合する嵌合部が先端部に形成されるバルブ操作部が垂設されることを特徴とする構成を採用する。
【０００８】
蓋体の実施形態として、蓋体は、外周壁の上端から内方に延設され計量室を覆う天板と、天板に形成される注出筒と、天板にヒンジを介して連設される上蓋とからなることを特徴とする構成を採用する。
さらに、蓋体の別実施形態として、蓋体は、外周壁の上端から内方に延設され計量室を覆う天板と、天板に形成される注出筒と、注出筒を開閉する上蓋と、上蓋に形成される注出孔と、注出孔を開閉する補助蓋とを備えることを特徴とする構成を採用する。
【０００９】
蓋体の具体的実施形態として、蓋体は、上蓋が天板に下ヒンジを介して連設され、補助蓋が上蓋に上ヒンジを介して連設されることを特徴とする構成を採用する。
また、バルブ部の具体的実施形態として、バルブ部は、弁部と弁座のいずれか一方に形成される凸条が、弁部と弁座のいずれか他方に形成される凹条と嵌合することにより流出口の閉鎖状態を保持することを特徴とする構成を採用する。
【発明の効果】
【００１０】
本発明のスクイズ式計量容器は、計量室底壁を貫通して形成される流出口と、流出口を開閉するバルブ部とを備えた計量室に、バルブ部として、流出口の周囲下面に形成される弁座と、流出口を貫通し上下方向に移動するバルブ柱と、バルブ柱の下端部に形成される弁体と、バルブ柱の上端部に形成される把持部とからなり、計量室の上端開口を開閉する上蓋の裏面からバルブ柱の把持部と嵌合する嵌合部が先端部に形成されるバルブ操作部が垂設されることにより、上蓋を開蓋すると、バルブ部が底壁の流出口を閉鎖し、容器本体の胴部をスクイズすることにより内容液を計量室内に流入させて計量し、計量した内容液を注出した後、上蓋を閉蓋すると、バルブ部が流出口を開放し、注出後に計量室内に残った内容液を容器本体内に戻すことができる。
【００１１】
また、本発明のスクイズ式計量容器における蓋体は、外周壁の上端から内方に延設され計量室を覆う天板と、天板に形成される注出筒と、注出筒を開閉する上蓋と、上蓋に形成される注出孔と、注出孔を開閉する補助蓋とを備えることにより、上蓋を開蓋すると、バルブ部が底壁の流出口を閉鎖し、容器本体の胴部をスクイズすることにより、吸上げパイプを介して内容液を計量室内に流入させて計量し、計量した内容液を注出した後、上蓋を閉蓋すると、バルブ部が流出口を開放し、注出後に計量室内に残った内容液を容器本体内に戻すことができる。
さらに、上蓋を閉蓋した状態で補助蓋だけを開蓋すると、バルブ部が流出口を開放状態に保持することにより、スクイズすることなしに補助蓋に形成される注出孔から内容液を適量注出することができる。
【００１２】
また、本発明における蓋体は、外周壁の上端から内方に延設され計量室を覆う天板と、天板に形成される注出筒と、天板にヒンジを介して連設される上蓋とからなることにより、計量室において計量された内容液の注出を容易にできる。
また、本発明におけるバルブ部は、弁部と弁座のいずれか一方に形成される凸条が、弁部と弁座のいずれか他方に形成される凹条と嵌合する簡便な構造で、上蓋を開蓋したときに流出口の閉鎖状態を保持でき、効果的である。
【図面の簡単な説明】
【００１３】
【図１】本発明の第１実施例のスクイズ式計量容器の側断面図である。
【図２】第１実施例の部品図で、（ａ）はヒンジキャップの側断面図、（ｂ）はヒンジキャップの底面図である。
【図３】第１実施例の部品図で、（ａ）はバルブ柱、弁体、把持部の上面図、（ｂ）はバルブ柱、弁体、把持部の側断図である。
【図４】第１実施例の部品図で、（ａ）はベースキャップの上面図、（ｂ）はベースキャップの側断面図である。
【図５】第１実施例のスクイズ式計量容器を使用するときの説明図で、計量時の側断面図である。
【図６】第１実施例のスクイズ式計量容器を使用するときの説明図で、定量注出時の側断面図である。
【図７】第１実施例のスクイズ式計量容器を使用するときの説明図で、残液戻し時の側断面図である。
【図８】本発明の第２実施例のスクイズ式計量容器の側断面図である。
【図９】第２実施例の部品図で、（ａ）はヒンジキャップの側断面図、（ｂ）はヒンジキャップの底面図である。
【図１０】第２実施例の部品図で、（ａ）はバルブ筒、弁体、把持部の上面図、（ｂ）はバルブ筒、弁体、把持部の側断図である。
【図１１】第２実施例の部品図で、（ａ）はベースキャップの上面図、（ｂ）はベースキャップの側断面図である。
【図１２】第２実施例のスクイズ式計量容器を使用するときの説明図で、計量時の側断面図である。
【図１３】第２実施例のスクイズ式計量容器を使用するときの説明図で、定量注出時の側断面図である。
【図１４】第２実施例のスクイズ式計量容器を使用するときの説明図で、残液戻し時の側断面図である。
【図１５】本発明の第３実施例のスクイズ式計量容器の側断面図である。
【図１６】第３実施例の部品図で、（ａ）は二段式ヒンジキャップの上面図、（ｂ）は側断面図、（ｃ）は底面図である。
【図１７】第３実施例のスクイズ式計量容器を使用するときの説明図で、計量時の側断面図である。
【図１８】第３実施例のスクイズ式計量容器を使用するときの説明図で、適量注出時の側断面図である。
【発明を実施するための形態】
【００１４】
次に、本発明のスクイズ式計量容器について、実施例に示した図面を参照して説明する。
【実施例１】
【００１５】
図１において、Ａは内容液が充填される容器本体、Ｂは容器本体Ａに装着されるベースキャップ、ＣはベースキャップＢの上端開口を被冠するヒンジキャップである。
【００１６】
容器本体Ａは、合成樹脂により成型されたものであり、スクイズ可能な胴部１と、胴部１の上部に形成される口筒部２とから構成されている。
ベースキャップＢは、下方に形成される円筒状の装着筒３と、装着筒３の上端から内方に延設され、口筒部２の開口を封鎖するとともに、上方に形成される計量室Ｄの底部でもある底壁４とからなっている。
装着筒３は、内周に雌ネジが形成されており、口筒部２の外周に形成される雄ネジと螺合することにより、容器本体Ａに装着されている。
【００１７】
計量室Ｄは、底壁４を底部とするとともに、底壁４の外端部から外周壁５を立設することにより、円筒状の空間を画定している。
図４（ａ）および（ｂ）に示すように、ベースキャップＢには、底壁４の中心から一方にずれた位置を貫通して注入口６が形成され、注入口６の周囲から計量室Ｄ内に計量注入筒７が立設されている。
計量注入筒７の上端部７ａは、水平な板状体で封鎖されているが、上端部７ａ直下の周面は、先細りに若干のテーパーが付与され、複数、本実施例では２つの連通口８が穿設されている。
計量注入筒７の内周には、吸上げパイプ３２の上端を連結するとともに、下端を容器本体Ａ内の下部に垂下させている。
【００１８】
さらに、ベースキャップＢには、注入口６と同様に、底壁４の中心から他方にずれた位置を貫通して流出口９が形成され、流出口９の周囲から計量室Ｄ内にガイド筒１０が立設されている。
ガイド筒１０の周面には、複数、本実施例では２つの通液スリット１１が穿設されている。
【００１９】
また、底壁４には、流出口９の周囲下面にすり鉢状の弁座１２が形成され、弁座１２には、嵌合凹条１２ａが形成されている。
流出口９を開閉するバルブ部Ｅは、既述した弁座１２の他、ガイド筒１０内を上下方向に移動するバルブ柱１３と、バルブ柱１３の下端部に設けられる弁体１４と、バルブ柱１３の上端部に設けられる把持部１５とから構成されている。
【００２０】
図３（ａ）および（ｂ）に示すように、弁体１４は、円錐台状に形成され、弁体１４には、嵌合凸条１４ａが形成されている。
バルブ柱１３は、横断面形状が十字状に形成され、その外端面１３ａは、ガイド筒１０の内周とわずかなクリアランスを取るように調整されている。また、バルブ柱１３がガイド筒１０に対して摺動してもよく、ガイド筒１０は設けなくても良い。
また、バルブ柱１３の外端面１３ａの上方には、ガイド筒１０の上端面と当接する突起部１３ｂが形成されている。
把持部１５は、バルブ柱１３の上端部から延設される延長柱１６を介して角の取れた短円柱状に形成されている。
【００２１】
外周壁５の上端部には、蓋体である後述するヒンジキャップＣを被冠するための係止部１７が形成されている。
さらに、外周壁５の内周には、ヒンジキャップＣを被冠するときの位置決め用に、縦リブ１８が設けられている。
なお、本実施例では、ヒンジキャップＣの位置決め用に縦リブ１８を設けたが、他の位置決め手段を設けても構わない。
【００２２】
図２（ａ）および（ｂ）に示すように、ヒンジキャップＣは、キャップ本体１９と、キャップ本体１９にヒンジ２０を介して連設される上蓋２１とから構成されている。
キャップ本体１９は、内側周壁と外側周壁による二重筒状に形成されており、外側周壁の内周面下部には、外周壁５の係止部１７に装着するための装着部２２が形成され、内側周壁の外周面には、外周壁５の内周に設けられる縦リブ１８に対応する箇所に図示しない凹部が形成されている。
キャップ本体１９の上面２３は、計量室Ｄを覆う天板として機能し、上面２３には、バルブ柱１３の中心線延長上に対応するように、中心位置が設定される下方に向けて裾広がりの円筒状をなす注出筒２４が立設されている。
【００２３】
上蓋２１は、ヒンジ２０を介してキャップ本体１９の外周上端に、回動自在に取着されており、平板状に形成される頂壁２５と、その周縁に垂設される側周壁２６とからなっている。
頂壁２５の裏面には、閉蓋時に注出筒２４の内周を密封する筒状の密封リング２７が垂設されている。
さらに、頂壁２５の裏面には、密封リング２７の中央からバルブ操作部２８が垂設され、バルブ操作部２８の先端には、バルブ柱１３の把持部１５と嵌合する掴み凹部２９が形成されている。
【００２４】
なお、当該技術分野において周知のように、側周壁２６の下端部内周には、キャップ本体１９の図示しない蓋係止凸部と係止する図示しない係止凹部が形成されている。
頂壁２５のヒンジ２０と反対側の外周には、平面視で円弧状の摘み部３０が形成され、本実施例では、側周壁２６には、摘み部３０が設けられる部分の下方に凹部３１が形成されている。
【００２５】
次に、本実施例の使用態様と作用効果について説明する。
本実施例のスクイズ式計量容器は、図１に示すように、ベースキャップＢに上蓋２１を閉じたヒンジキャップＣを被冠した後、ベースキャップＢから吸上げパイプ３２が垂下した状態で、吸上げパイプ３２の下端を内容液が充填される容器本体Ａ内下部に挿入し、ベースキャップＢの装着筒３を口筒部２に螺合することにより装着して使用する。
なお、本実施例では、装着筒３は、螺合によって容器本体Ａの口筒部２に装着したが、装着筒３は、容器本体Ａの口筒部２に他の方法により装着するものであっても構わない。
【００２６】
本実施例のスクイズ式計量容器を使用するには、図１に示す状態から、上蓋２１の摘み部３０を持ち上げると、バルブ操作部２８の掴み凹部２９がバルブ柱１３の把持部１５に嵌合しているので、上蓋２１が持ち上げられるにつれてバルブ柱１３がガイド筒１０内を上昇していく。
バルブ柱１３の上昇につれて、下端部に設けられる弁体１４は、弁座１２と当接することにより、弁体１４の嵌合凸条１４ａは、弁座１２の嵌合凹条１２ａと嵌合して流出口９が閉鎖される。このため、バルブ柱１３は、それ以上上昇することができなくなり、バルブ操作部２８の掴み凹部２９から把持部１５が外れて、図５に示すように、上蓋２１は、完全に開蓋される。
なお、本実施例では、弁体１４に嵌合凸条１４ａを形成し、弁座１２に嵌合凹条１２ａを形成しているが、嵌合凸条は、弁部１４と弁座１２のいずれか一方に形成し、嵌合凹部は、弁部１４と弁座１２のいずれか他方に形成すれば構わない。
【００２７】
つぎに、図５に示すように、容器本体Ａ内の内容液を計量する際には、容器本体Ａの胴部１をスクイズすることで、矢印で示すように内容液を吸上げパイプ３２の下端から計量注入筒７へ押し出し、先端の連通口８から矢印で示すように計量室Ｄ内に注入させる。
その後、計量室Ｄ内の内容液が計量注入筒７の連通口８の高さ以上となるように注入されてから胴部１のスクイズを停止すると、過剰に計量室Ｄ内に流入した内容液は、計量注入筒７の連通口８から逆流して容器本体Ａ内に戻る。
【００２８】
つぎに、図６に示すように、計量室Ｄ内の内容液を注出する際には、容器本体Ａを傾けることによって、計量室Ｄ内の内容液を注出筒２４を介して注出することができる。
このときに、流出口９は、バルブ部Ｅによって閉鎖されているので、容器本体Ａ内の内容液が計量室Ｄ内に流入するおそれはない。
【００２９】
最後に、図７に示すように、内容液の注出を終了する際には、傾いた容器本体Ａを元の直立した姿勢に戻した後、上蓋２１を閉蓋すると、バルブ操作部２８の先端が把持部１５を押下げることにより、弁座１２の嵌合凹条１２ａと嵌合していた弁体１４の嵌合凸条１４ａとの嵌合が外れ、流出口９が開放される。
同時に、バルブ柱１３の突起部１３ｂは、ガイド筒１０の上端に当接すると、それ以上バルブ柱１３は下降することができず、バルブ操作部２８の掴み凹部２９は、把持部１５と嵌合してバルブ部Ｅの開放状態を維持することができる。なお、突起部１３ｂは周方向に沿って複数（好ましくは均等間隔）設けてもよい。
【００３０】
このため、計量室Ｄ内に注出されずに残った内容液は、傾斜した底壁４を伝って流出口９から容器本体Ａ内部に戻されるので、次回の注出まで計量室Ｄ内に内容液が残ることを防ぐことができる。
その際、注出筒２４の内周に、上蓋２１の密封リング２７の外周が密接し、注出筒２４より内方を密封する。
【実施例２】
【００３１】
つぎに、第１実施例のベースキャップの構成を変えた第２実施例について説明する。
本実施例については、第１実施例と同一の構成部分には同一の符号を付して図示することで詳しい説明を省略し、相違点を中心に説明する。
図８において、Ａは内容液が充填される容器本体、Ｂは容器本体Ａに装着されるベースキャップ、ＣはベースキャップＢの上端開口を被冠するヒンジキャップである。
【００３２】
ベースキャップＢは、下方に形成される円筒状の装着筒３と、装着筒３の上端から内方に延設され、口筒部２の開口を封鎖するとともに、上方に形成される計量室Ｄの底部でもある底壁４とからなっている。
計量室Ｄは、底壁４を底部とするとともに、底壁４の外端部から外周壁５を立設することにより、円筒状の空間を画定している。
【００３３】
図１１（ａ）および（ｂ）に示すように、ベースキャップＢには、底壁４の中心位置を貫通して流出口３３が形成され、流出口３３の周囲から計量室Ｄ内にガイド筒３５が立設されている。
ガイド筒３５の周面には、複数、本実施例では２つの通液スリット３６が穿設されている。
また、底壁４には、流出口３３の周囲下面にすり鉢状の弁座３４が形成され、弁座３４には、嵌合凹条３４ａが形成されている。
【００３４】
図１０（ａ）および（ｂ）に示すように、流出口３３を開閉するバルブ部Ｆは、既述した弁座３４の他、ガイド筒３５内を上下方向に移動するバルブ筒３７と、バルブ筒３７の下端部に設けられる弁体３９と、バルブ筒３７の周面上端部に穿設される連通口４０と、バルブ筒３７の上端部３７ａから立設される把持部１５とから構成されている。
バルブ筒３７の外周は、案内羽根３８が十字状に設けられ、その外端面は、ガイド筒３５の内周とわずかなクリアランスを取るように調整されている。
また、案内羽根３８の外端面の上方には、ガイド筒３５の上端面と当接する突起部３８ａが形成されている。
【００３５】
弁体３８は、円錐台状に形成され、弁体３９には、嵌合凸条３９ａが形成されている。
把持部１５は、バルブ筒３７の上端部３７ａから延設される延長柱１６を介して角の取れた短円柱状に形成されている。
さらに、バルブ筒３７の内周には、吸上げパイプ３２の上端を連結するとともに、下端を容器本体Ａ内の下部に垂下させている。
【００３６】
外周壁５の上端部には、蓋体である後述するヒンジキャップＣを被冠するための係止部１７が形成されている。
図９（ａ）および（ｂ）に示すように、ヒンジキャップＣは、キャップ本体１９と、キャップ本体１９にヒンジ２０を介して連設される上蓋２１とから構成されている。
キャップ本体１９は、内側周壁と外側周壁による二重筒状に形成されており、外側周壁の内周面下部には、外周壁５の係止部１７に装着するための装着部２２が形成されている。
キャップ本体１９の上面２３は、計量室Ｄを覆う天板として機能し、上面２３には、中央位置に先端が外方に向かって拡がり円筒状をなす注出筒２４が立設されている。
【００３７】
上蓋２１は、ヒンジ２０を介してキャップ本体１９の外周上端に、回動自在に取着されており、平板状に形成される頂壁２５と、その周縁に垂設される側周壁２６とからなっている。
頂壁２５の裏面には、閉蓋時に注出筒２４の内周を密封する筒状の密封リング２７が垂設されている。
さらに、頂壁２５の裏面には、密封リング２７の中央からバルブ操作部２８が垂設され、バルブ操作部２８の先端には、バルブ筒３７の把持部１５と嵌合する掴み凹部２９が形成されている。
【００３８】
次に、本実施例の使用態様と作用効果について説明する。
本実施例のスクイズ式計量容器は、図８に示すように、ベースキャップＢに上蓋２１を閉じたヒンジキャップＣを被冠した後、ベースキャップＢから吸上げパイプ３２が垂下した状態で、吸上げパイプ３２の下端を内容液が充填される容器本体Ａ内下部に挿入し、ベースキャップＢの装着筒３を口筒部２に螺合することにより装着して、第１実施例と同様に使用する。
【００３９】
本実施例のスクイズ式計量容器を使用するには、図８に示す状態から、上蓋２１の摘み部３０を持ち上げると、バルブ操作部２８の掴み凹部２９がバルブ筒３７の把持部１５に嵌合しているので、上蓋２１が持ち上げられるにつれてバルブ筒３７がガイド筒３５内を上昇していく。
バルブ筒３７の上昇につれて、下端部に設けられる弁体３９は、弁座３４と当接することにより、弁体３９の嵌合凸条３９ａは、弁座３４の嵌合凹条３４ａと嵌合して流出口３３が閉鎖される。このため、バルブ筒３７は、それ以上上昇することができなくなり、バルブ操作部２８の掴み凹部２９から把持部１５が外れて、図１２に示すように、上蓋２１は、完全に開蓋される。
【００４０】
つぎに、図１２に示すように、容器本体Ａ内の内容液を計量する際には、容器本体Ａの胴部１をスクイズすることで、矢印で示すように内容液を吸上げパイプ３２の下端からバルブ筒３７へ押し出し、先端の連通口４０から矢印で示すように計量室Ｄ内に注入させる。
その後、計量室Ｄ内の内容液がバルブ筒３７の連通口４０の高さ以上となるまで注入されてから胴部１のスクイズを停止すると、過剰に計量室Ｄ内に流入した内容液は、バルブ筒３７の連通口４０から逆流して容器本体Ａ内に戻る。
【００４１】
つぎに、図１３に示すように、計量室Ｄ内の内容液を注出する際には、容器本体Ａを傾けることによって、計量室Ｄ内の内容液を注出筒２４を介して注出することができる。
このときに、流出口３３は、バルブ部Ｆによって閉鎖されているので、容器本体Ａ内の内容液が計量室Ｄ内に流入するおそれはない。
【００４２】
最後に、図１４に示すように、内容液の注出を終了する際には、傾いた容器本体Ａを元の直立した姿勢に戻した後、上蓋２１を閉蓋すると、バルブ操作部２８の先端が把持部１５を押下げることにより、弁座３４の嵌合凹条３４ａと嵌合していた弁体３９の嵌合凸条３９ａとの嵌合が外れ、流出口３３が開放される。
同時に、案内羽根３８の突起部３８ａは、ガイド筒３５の上端に当接すると、それ以上バルブ筒３７は下降することができず、バルブ操作部２８の掴み凹部２９は、把持部１５と嵌合してバルブ部Ｆの開放状態を維持することができる。
このため、計量室Ｄ内に注出されずに残った内容液は、傾斜した底壁４を伝って流出口３３から容器本体Ａ内部に戻されるので、次回の注出まで計量室Ｄ内に内容液が残ることを防ぐことができる。
【実施例３】
【００４３】
つぎに、第２実施例のヒンジキャップの構成を変えた第３実施例について説明する。
本実施例については、第２実施例と同一の構成部分には同一の符号を付して図示することで詳しい説明を省略し、相違点を中心に説明する。
図１５において、Ａは内容液が充填される容器本体、Ｂは容器本体Ａに装着されるベースキャップ、ＣａはベースキャップＢの上端開口を被冠する補助蓋付きの二段式ヒンジキャップである。
【００４４】
図１６（ａ）〜（ｃ）に示すように、二段式ヒンジキャップＣａは、キャップ本体４１と、キャップ本体４１に下ヒンジ４２を介して連設される上蓋４３と、上蓋４３に上ヒンジ４４を介して連設される補助蓋４５とから構成されている。
キャップ本体４１は、内側周壁と外側周壁による二重筒状に形成されており、外側周壁の内周面下部には、計量室Ｄを画定する外周壁５の係止部１７に装着するための装着部４６が形成されている。
キャップ本体４１の上面４７は、計量室Ｄを覆う天板として機能し、上面４７には、中央位置に先端が外方に向かって拡がり円筒状をなす注出筒４８が立設されている。
【００４５】
上蓋４３は、下ヒンジ４２を介してキャップ本体４１の外周上端に、回動自在に取着されており、平板状に形成される下頂壁４９と、その周縁から垂設された後、下方に傾斜する側周壁５０とからなっている。
下頂壁４９の裏面には、閉蓋時に注出筒４８の内周を密封する筒状の密封リング５１が垂設されるとともに、密封リング５１の中央からバルブ操作部５２が垂設され、バルブ操作部５２の先端には、バルブ筒３７の把持部１５と嵌合する掴み凹部５３が形成されている。
さらに、下頂壁４９の表面には、密封リング５１と対応する位置に先端が外方に向かって拡がり円筒状をなす注出筒５４が立設され、図１６（ｃ）に示すように、注出筒５４の内周とバルブ操作部５２との間には、注出孔４９ａが形成されている。
【００４６】
補助蓋４５は、上ヒンジ４４介して上蓋４３の下頂壁４９の外周上端に、回動自在に取着されており、平板状に形成される頂壁５６と、その周縁から垂設される側周壁５７とからなっている。
頂壁５６の裏面には、閉蓋時に注出筒５４の内周を密封する筒状の密封リング５８が垂設されている。
【００４７】
なお、当該技術分野において周知のように、二段式ヒンジキャップＣａにおいても、上蓋４３の側周壁５０の下端部内周には、キャップ本体４１の図示しない蓋係止凸部と係止する図示しない係止凹部が形成され、同様に、補助蓋４５の側周壁５７の下端部内周には、下蓋４３の図示しない蓋係止凸部と係止する図示しない係止凹部が形成されている。
さらに、上蓋４３の側周壁５０の下ヒンジ４２と反対側の外周には、平面視で円弧状の摘み部５５が形成され、同様に、頂壁５６の上ヒンジ４４と反対側の外周には、平面視で円弧状の摘み部５９が形成されている。
【００４８】
次に、本実施例の使用態様と作用効果について説明する。
本実施例のスクイズ式計量容器は、図１５に示すように、ベースキャップＢに上蓋４３と補助蓋４５の両方を閉じた二段式ヒンジキャップＣａを被冠した後、ベースキャップＢから吸上げパイプ３２が垂下した状態で、吸上げパイプ３２の下端を内容液が充填される容器本体Ａ内下部に挿入し、第２実施例と同様に、ベースキャップＢの装着筒３を口筒部２に螺合することにより装着して使用する。
【００４９】
本実施例のスクイズ式計量容器を使用して定量注出するには、図１５に示す状態から、上蓋４３の摘み部５５を持ち上げると、バルブ操作部５２の掴み凹部５３がバルブ筒３７の把持部１５に嵌合しているので、上蓋４３が持ち上げられるにつれてバルブ筒３７がガイド筒３５内を上昇していく。
バルブ筒３７の上昇につれて、下端部に設けられる弁体３９は、弁座３４と当接することにより、弁体３９の嵌合凸条３９ａは、弁座３４の嵌合凹条３４ａと嵌合して流出口３３が閉鎖される。このため、バルブ筒３７は、それ以上上昇することができなくなり、バルブ操作部５２の掴み凹部５３から把持部１５が外れて、図１７に示すように、上蓋４３は、完全に開蓋される。
【００５０】
つぎに、図１７に示すように、容器本体Ａ内の内容液を計量する際には、容器本体Ａの胴部１をスクイズすることで、矢印で示すように内容液を吸上げパイプ３２の下端からバルブ筒３７へ押し出し、先端の連通口４０から矢印で示すように計量室Ｄ内に注入させる。
その後、計量室Ｄ内の内容液がバルブ筒３７の連通口４０の高さ以上となるまで注入されてから胴部１のスクイズを停止すると、過剰に計量室Ｄ内に流入した内容液は、バルブ筒３７の連通口４０から逆流して容器本体Ａ内に戻る。
【００５１】
つぎに、計量室Ｄ内の内容液を注出する際には、第２実施例と同様に、容器本体Ａを傾けることによって、計量室Ｄ内の内容液を注出筒４８を介して注出することができる。
このときに、流出口３３は、バルブ部Ｆによって閉鎖されているので、容器本体Ａ内の内容液が計量室Ｄ内に流入するおそれはない。
【００５２】
最後に、内容液の注出を終了する際には、第２実施例と同様に、傾いた容器本体Ａを元の直立した姿勢に戻した後、上蓋４３を閉蓋すると、バルブ操作部５２の先端が把持部１５を押下げることにより、弁座３４の嵌合凹条３４ａと嵌合していた弁体３９の嵌合凸条３９ａとの嵌合が外れ、流出口３３が開放される。
同時に、案内羽根３８の突起部３８ａは、ガイド筒３５の上端に当接すると、それ以上バルブ筒３７は下降することができず、バルブ操作部５２の掴み凹部５３は、把持部１５と嵌合してバルブ部Ｆの開放状態を維持することができる。
このため、計量室Ｄ内に注出されずに残った内容液は、傾斜した底壁４を伝って流出口３３から容器本体Ａ内部に戻されるので、次回の注出まで計量室Ｄ内に内容液が残ることを防ぐことができる。
【００５３】
また、本実施例の補助蓋付きの二段式ヒンジキャップを装着したスクイズ式計量容器を使用して適量注出するには、図１５に示す状態から、補助蓋４５の摘み部５９を持ち上げることで補助蓋４５を開蓋しても、上蓋４３が閉蓋した状態にあるために、バルブ部Ｆが流出口３３を開放状態に保持することになる。
つぎに、図１８に示すように、容器本体Ａ内の内容液を注出する際には、容器本体Ａをスクイズする必要はなく、単に容器本体Ａを傾けることだけで、容器本体Ａ内の内容液を注出筒５４を介して適量注出することができる。
【００５４】
なお、本実施例では、第２実施例のスクイズ式定量容器のヒンジキャップＣの代わりに補助蓋付きの二段式ヒンジキャップＣａを装着するようにしているが、第１実施例のスクイズ式定量容器においても、ヒンジキャップＣに代えて、上蓋４３の注出筒４８と補助蓋４５の注出筒５４の中心位置が、バルブ柱１３の中心線延長上に対応するように形成される補助蓋付きの二段式ヒンジキャップＣａを装着するようにすれば、本実施例と同様に、容器本体Ａをスクイズすることなく、単に容器本体Ａを傾けることだけで、容器本体Ａ内の内容液を適量注出することができる。
もちろん、容器本体Ａをスクイズして適量注出しても構わない。
【産業上の利用可能性】
【００５５】
本発明のスクイズ式計量容器は、実施例のようにベースキャップを円筒状に形成したものに限らず、様々な形状に形成したものにも適用でき、上蓋を開蓋するだけで、計量室の底壁の流出口を閉鎖して内容液を計量することができるとともに、上蓋を閉蓋すると、計量室の底壁の流出口を開放して計量室内に残った内容液を容器本体内に戻すことができるだけでなく、さらに、上蓋を閉蓋した状態で、補助蓋だけを開蓋することにより、スクイズすることなく適量の内容液を注出口から注出することもできるから、衛生的な使用環境を必要とするスクイズ式計量容器として広く使用することができ、特に、液体洗浄料などの液体を計量して注出する容器として好適である。
【符号の説明】
【００５６】
Ａ        容器本体
Ｂ        ベースキャップ
Ｃ        ヒンジキャップ
Ｃａ      二段式ヒンジキャップ
Ｄ        計量室
Ｅ、Ｆ    バルブ部
１        胴部
２        口筒部
３        装着筒
４        底壁
５        外周壁
６        注入口
７        計量注入筒
７ａ      先端部
８、４０  連通口
９、３３  流出口
１０、３５  ガイド筒
１１、３６  通液スリット
１２、３４  弁座
１２ａ、３４ａ  嵌合凹条
１３        バルブ柱
１３ａ      外端面
１３ｂ、３８ａ  突起部
１４、３９  弁体
１４ａ、３９ａ  嵌合凸条
１５        把持部
１６        延長柱
１７        係止部
１８        縦リブ
１９、４１  キャップ本体
２０        ヒンジ
２１、４３  上蓋
２２、４６  装着部
２３、４７  上面
２４、４８、５４  注出筒
２５、５６  頂壁
２６、５０、５７  側周壁
２７、５１、５８  密封リング
２８、５２  バルブ操作部
２９、５３  掴み凹部
３０、５５、５９  摘み部
３１        凹部
３２        吸上げパイプ
３７        バルブ筒
３８        ガイド羽根
４２        下ヒンジ
４４        上ヒンジ
４５        補助蓋
４９        下頂壁
４９ａ      注出孔
【図１】
2015027884.tif 000003
【図２】
2015027884.tif 000004
【図３】
2015027884.tif 000005
【図４】
2015027884.tif 000006
【図５】
2015027884.tif 000007
【図６】
2015027884.tif 000008
【図７】
2015027884.tif 000009
【図８】
2015027884.tif 000010
【図９】
2015027884.tif 000011
【図１０】
2015027884.tif 000012
【図１１】
2015027884.tif 000013
【図１２】
2015027884.tif 000014
【図１３】
2015027884.tif 000015
【図１４】
2015027884.tif 000016
【図１５】
2015027884.tif 000017
【図１６】
2015027884.tif 000018
【図１７】
2015027884.tif 000019
【図１８】
2015027884.tif 000020